(57)【要約】【課題】  小型のＨＤＤを搭載した携帯端末において、低消費電力を実現すると共に、操作性のよい携帯端末を提供する。【解決手段】  原画像表示の履歴がある場合（Ｓ６２）、早めにＨＤＤ電源をオンにしてＨＤＤを起動する（Ｓ６３）。その後のサムネイル画像の表示（Ｓ６４、Ｓ６５）は、ユーザが気になる程ではないが、多少の時間を要する。また、ユーザは、サムネイル画像を見て、カーソル選択（Ｓ６６）や原画像表示キー操作（Ｓ６７）などの少なくとも数秒間はかかるであろうユーザ操作を行う。そして、原画像をＨＤＤから読み出して表示する（Ｓ７４）時点では、すでに、ＨＤＤは立ち上がっている可能性が高くなる。または、ＨＤＤの立ち上がりをそれ程待つ必要がなくなる。原画像表示の履歴がない場合（Ｓ６２）は、ＨＤＤ電源を早めにオンにすることは行わないで、原画像表示キー操作が行われた（Ｓ６７）時点で、ＨＤＤ電源をオンにする（Ｓ７３）。【選択図】  図４
2007226929.tif 000002
【特許請求の範囲】
【請求項１】
第１情報を記憶する第１記憶手段と、
前記第１情報に対応付けられた第２情報を記憶する第２記憶手段と、
前記第２記憶手段の電力オン／オフ状態を切り替える電源制御手段と、
前記第２記憶手段から第２情報を読み出した回数履歴を記憶する読み出し履歴記憶手段と、
前記第１情報を表示する表示手段と、
操作入力手段と、
前記第１情報を複数表示し、その複数の第１情報の中から選択された第１情報に対応付けられた前記第２情報を前記第２記憶手段から読み出すアプリケーション処理を行う場合、前記複数の第１情報の中の第１情報毎に対応付けられた第２情報を読み出した回数履歴に基づいて前記第２記憶手段への電力をオンにした後、前記操作入力手段によって指示があれば前記選択された第１情報に対応付けられた第２情報を前記第２記憶手段から読み出す制御を行う制御手段と
を具備することを特徴とする携帯端末。
【請求項２】
前記制御手段は、
前記第１情報を複数表示し、その複数の第１情報の中から選択された第１情報に対応付けられた前記第２情報を前記第２記憶手段から読み出すアプリケーション処理を行う場合、前記複数の第１情報の内、１個以上の第１情報について、対応付けられた第２情報を読み出した前記回数履歴があれば前記第２記憶手段への電力をオンにした後、前記操作入力手段によって指示があれば前記選択された第１情報に対応付けられた第２情報を前記第２記憶手段から読み出す制御を行うことを特徴とする請求項１に記載の携帯端末。
【請求項３】
前記制御手段は、
前記第１情報を複数表示し、その複数の第１情報の中から選択された第１情報に対応付けられた前記第２情報を前記第２記憶手段から読み出すアプリケーション処理を行う場合、前記複数の第１情報の内、予め決められた個数の第１情報について、対応付けられた第２情報を読み出した前記回数履歴があれば前記第２記憶手段への電力をオンにした後、前記操作入力手段によって指示があれば前記選択された第１情報に対応付けられた第２情報を前記第２記憶手段から読み出す制御を行うことを特徴とする請求項１に記載の携帯端末。
【請求項４】
前記第１情報は、サムネイル画像、又はテキスト情報であることを特徴とする請求項１に記載の携帯端末。
【請求項５】
前記第２情報は、原画像、又は音声情報であることを特徴とする請求項１に記載の携帯端末。
【請求項６】
第１の画像情報を記憶する第１記憶手段と、
前記第１の画像情報に対応付けられ、前記第１の画像情報よりもサイズの大きい第２の画像情報を記憶する第２記憶手段と、
前記第２記憶手段の電力オン／オフ状態を切り替える電源制御手段と、
前記第１の画像情報を表示する表示手段と、
操作入力手段と、
アプリケーションを開始する操作が前記操作入力手段によってなされた場合、前記第２記憶手段の電力オン／オフ状態のいずれの状態にするかを設定する設定手段と、
前記アプリケーション開始する場合には、前記設定手段の設定に基づいてアプリケーションを実行する制御手段と
を具備することを特徴とする携帯端末。
【発明の詳細な説明】
【技術分野】
【０００１】
本発明は、画像データおよびその画像データを簡略化したサムネイル画像を記録する携帯端末に関する。
【背景技術】
【０００２】
コンテンツの内容検索やサムネイル表示の処理を低消費電力で行うことができる磁気ディスク装置がある（例えば、特許文献１参照。）。この特許文献１では、画像コンテンツはＨＤＤに記録されている。この画像コンテンツのフレームデータやサムネイル画像は、フラッシュメモリに記録されている。そして、画像コンテンツの内容検索やサムネイル画像のプレビュー表示を行う場合は、ＨＤＤを起動することなく、フラッシュメモリをアクセスして表示する。これにより、低消費電力を実現している。
【特許文献１】特開２００１−２６６４５２号公報（第１０〜１２頁、図１、図３）
【発明の開示】
【発明が解決しようとする課題】
【０００３】
小型のＨＤＤを搭載した携帯端末において、低消費電力を実現するために特許文献１を適用すると、つまり、サムネイル画像の表示を行う場合は、ＨＤＤを起動することなく、フラッシュメモリをアクセスしてサムネイル画像を表示する。それを見たユーザが更に詳細画像の画像コンテンツを見たい場合は、その操作を行うと、ＨＤＤへの電源が供給されてＨＤＤが起動し、詳細画像の画像コンテンツを見ることができる。それにより、サムネイル画像を見る状態での低消費電力を実現することができる。しかし、携帯端末に搭載する小型のＨＤＤは、パーソナルコンピュータ等に搭載されるＨＤＤに比べて、シーク時間などの立ち上がり時間が遅く、ユーザが詳細画像の画像コンテンツを見る操作を行ってから表示されるまでの時間が長くなってしまい、ユーザを待たせてしまい、操作性がよくないという問題がある。
【０００４】
本発明は、上記の問題点を解決するためになされたもので、低消費電力を実現すると共に、操作性のよい携帯端末を提供することを目的とする。
【課題を解決するための手段】
【０００５】
上記目的を達成するために、本発明の携帯端末は、第１情報を記憶する第１記憶手段と、前記第１情報に対応付けられた第２情報を記憶する第２記憶手段と、前記第２記憶手段の電力オン／オフ状態を切り替える電源制御手段と、前記第２記憶手段から第２情報を読み出した回数履歴を記憶する読み出し履歴記憶手段と、前記第１情報を表示する表示手段と、操作入力手段と、前記第１情報を複数表示し、その複数の第１情報の中から選択された第１情報に対応付けられた前記第２情報を前記第２記憶手段から読み出すアプリケーション処理を行う場合、前記複数の第１情報の中の第１情報毎に対応付けられた第２情報を読み出した回数履歴に基づいて前記第２記憶手段への電力をオンにした後、前記操作入力手段によって指示があれば前記選択された第１情報に対応付けられた第２情報を前記第２記憶手段から読み出す制御を行う制御手段とを具備することを特徴とする。
【発明の効果】
【０００６】
本発明によれば、小型のＨＤＤを搭載した携帯端末において、低消費電力を実現すると共に、操作性を向上することが可能となる。
【発明を実施するための最良の形態】
【０００７】
以下、本発明の実施例を、図面を参照して説明する。  
図１は、本発明の実施例に係る携帯端末の関連部分のブロック図である。携帯端末１００は、撮像部１、信号処理部２、符号変換部３、電源スイッチ４、ＨＤＤ５（第２記憶手段）、サムネイル生成部６、ＮＡＮＤメモリ７（第１記憶手段）、表示部８、キー操作部９、主制御部１０により構成される。更に、主制御部１０は、ＨＤＤ画像表示履歴記憶部１１を備える。ＨＤＤ５は、ＮＡＮＤメモリ７に比べると、記憶容量は大きく、速度は遅く、使用電力は大きい。細い信号線は、主制御部１０と他のブロック間の制御信号などを示す。太い信号線は、画像信号などを示す。
【０００８】
撮像部１は、画像撮影を行うカメラであり、画像信号を信号処理部２へ送信する。信号処理部２は、画像処理を行って、符号変換部３へ送信する。符号変換部３は画像の圧縮処理を行って、ＨＤＤ４へ送信する。ＨＤＤ４は、画像コンテンツとして高解像度の原画（第２情報）を記録する。なお、ＨＤＤ４に記録される画像コンテンツは、撮像部１で撮影した画像に限らず、図示しない通信部によりインターネットでダウンロードした画像や、図示しないメモリカードを媒体とした画像であってもよい。また、画像コンテンツだけではなく、音楽コンテンツ（第２情報）なども記録される。電源スイッチ５は、ＨＤＤ４へ供給する電源のオンオフを行うスイッチであり、主制御部１０により制御される。
【０００９】
サムネイル生成部６は、低解像度のサムネイル画像（第１情報）を作成し、ＮＡＮＤメモリ７へ送信する。ＮＡＮＤメモリ７はサムネイル画像を記録する。サムネイル画像は、ＨＤＤ４に記録されている原画をサムネイル生成したものや、ＨＤＤ４に記録されている原画とは無関係に記録したものなどがあり、画像を使用するアプリケーションにより、色々な場合がある。なお、ＮＡＮＤメモリ７は、ＲＡＭ等であってもよい。
【００１０】
表示部８は、画像などを表示する。ＨＤＤ４に記録された原画は、符号変換部３で画像伸張処理が行われ、信号処理部３を経由して、表示部８で表示される。また、ＮＡＮＤメモリ７に記録されたサムネイル画像は、信号処理部３を経由して、表示部８で表示される。キー操作部９は、ユーザ操作用のキー入力手段である。
【００１１】
主制御部１０は、携帯端末１００の各種アプリケーションの管理、画像の管理やＨＤＤ４の電源制御を行う。主制御部１０内のＨＤＤ画像表示履歴記憶部１１は、ＨＤＤ４に記録された原画が読み出されて表示部４に表示された履歴回数を記録するメモリである。主制御部１０内のアプリＨＤＤ対応メモリ１２は、各種アプリケーション毎に、各種アプリケーション実行時のＨＤＤ起動方法を予め記憶するメモリである。
【００１２】
図２は、本発明の実施例に係る携帯端末のサムネイル画像表示を説明する図である。サムネイル画像表示は、実行するアプリケーションにより異なる。「Ａ：映像・音楽選択アプリ」は、曲名リストが表示された状態であり、曲名と共に、その曲のアルバムのカバー画像が表示される。このカバー画像は、サムネイル画像であり、曲を購入時に音楽データと共に添付されているサムネイル画像を、ＮＡＮＤメモリ７に記憶したものである。それが読み出されて表示される。
【００１３】
一般に、ユーザが「Ａ：映像・音楽選択アプリ」を実行する場合には、曲のカバー画像および曲名リストが表示された状態から、次に、曲を選択して、その曲の演奏、つまり、ＨＤＤ４に記録されている音楽コンテンツを読み出して演奏することが多い。従って、制御部１０内のアプリＨＤＤ対応メモリ１２には、予め、「Ａ：映像・音楽選択アプリ」は「アプリケーション実行開始時からＨＤＤ起動」と記憶しておく。
【００１４】
「Ｂ：電話帳アプリ」は、電話帳に登録されている氏名とその顔写真がリストとして表示された状態である。顔写真は、ユーザが撮影した写真や、相手から入手した写真をサムネイル生成して、サムネイル画像としてＮＡＮＤメモリ７に記憶したものである。それが読み出されて表示される。
【００１５】
一般に、ユーザが「Ｂ：電話帳アプリ」を実行する場合は、リストから相手を選択して電話をかけることが多い。つまり、顔写真の原画が記憶されているＨＤＤ４を読み出すことは少ない。従って、制御部１０内のアプリＨＤＤ対応メモリ１２には、予め、「Ｂ：電話帳アプリ」は「アプリケーション実行中はＨＤＤを起動しない」と記憶しておく。
【００１６】
「Ｃ１：画像アプリ」、「Ｃ２：画像アプリ」は、ユーザが撮影したりインターネット経由で入手したりした写真集のサムネイル画像が表示された状態である。「Ｃ１：画像アプリ」は、画像Ａから画像Ｉまでの９個のサムネイル画像群が表示されている。写真の数が多い場合には、ユーザ操作により「Ｃ２：画像アプリ」へ切り替わり、次の画像Ｊから画像Ｒまでの９個のサムネイル画像群が表示される。
【００１７】
一般に、ユーザが「Ｃ１：画像アプリ」を実行する場合は、単にサムネイル画像を見るだけの場合と、サムネイル画像を見てから画像を選択して更にその原画を見る場合の比率のどちらが多いとも言えない。従って、制御部１０内のアプリＨＤＤ対応メモリ１２には、予め、「Ｃ１：画像アプリ」は「アプリケーション実行中の状況によりＨＤＤ起動を判断する」と記憶しておく。なお、制御部１０内のアプリＨＤＤ対応メモリには、予めＨＤＤ起動させるアプリ（例えば映像音楽選択アプリ）の設定、及びＨＤＤ起動させないアプリ（例えば電話帳アプリ）の設定のいずれかを記憶し、例えば「画像アプリ」のような実行中の状況により起動するか否かを判断するアプリに関しては記憶しなくともよい。  
なお、上記の各種アプリケーションでのアプリＨＤＤ対応メモリ１２の記憶内容は、固定状態であっても良いし、ユーザにより、アプリケーションの種類の変更追加やＨＤＤ起動方法を設定できるようにしてもよい。
【００１８】
図３は、本発明の実施例に係る携帯端末の主制御部のサムネイル画像および原画像の表示制御に関するフローチャートである。主制御部１０は、ユーザが選択したアプリケーションの確認を行う（ステップＳ１０）。ここで確認するアプリケーションの種類は、アプリＨＤＤ対応メモリ１２の内容である。
【００１９】
ユーザが選択したアプリケーションが「Ａ：映像・音楽選択アプリ」の場合は、アプリＨＤＤ対応メモリ１２の内容の「アプリケーション実行開始時からＨＤＤ起動」に基づいて、電源スイッチ４をオンにしてＨＤＤ５へ電源を供給し、ＨＤＤ５を起動する（ステップＳ３０）。そして、映像・音楽選択アプリケーションの処理に入る（ステップＳ４０）。映像・音楽選択アプリケーションの処理の詳細については説明を省略する。
【００２０】
ユーザが選択したアプリケーションが「Ｂ：電話帳アプリ」の場合は、アプリＨＤＤ対応メモリ１２の内容の「アプリケーション実行中はＨＤＤを起動しない」に基づいて、ＨＤＤ５を起動することなく、電話帳アプリケーションの処理に入る（ステップＳ５０）。電話帳アプリケーションの処理の詳細については説明を省略する。が、電話帳アプリケーションの処理の中で、ユーザ操作により、顔写真の原画が記憶されているＨＤＤ４を読み出すようにしてもよい。
【００２１】
ユーザが選択したアプリケーションが「Ｃ１：画像アプリ」の場合は、アプリＨＤＤ対応メモリ１２の内容の「アプリケーション実行中の状況によりＨＤＤ起動を判断する」に基づいて、ＨＤＤ５の起動の判断は、画像アプリケーションの処理（ステップＳ６０）の中で行う。なお、アプリＨＤＤ対応メモリ１２に記憶されていない場合には、「アプリケーション実行中の状況によりＨＤＤ起動を判断する」に基づいてアプリケーションの処理を行ってもよい。画像アプリケーションの詳細処理については、後で説明する（図４）。  
なお、アプリＨＤＤ対応メモリ１２の内容が固定である場合には、特にアプリＨＤＤ対応メモリ１２を備えないで、ステップＳ２０の判断の中に組み込んでもよい。
【００２２】
図４は、本発明の実施例に係る携帯端末の主制御部の画像アプリケーションの表示制御に関するフローチャートである。主制御部１０は、画像アプリケーション（ステップＳ６０）に入ると、これから表示部に表示するサムネイル画像群、例えば、図２の「Ｃ１：画像アプリ」の画像Ａから画像Ｉまでの９個のサムネイル画像それぞれについて、ＨＤＤ画像表示履歴記憶部１１をチェックして、ＨＤＤ４に記録された原画が読み出されて表示部４に表示された履歴をチェックする（ステップＳ６１）。
【００２３】
そして、９個のサムネイル画像中、１個でも原画像表示の履歴があれば（ステップＳ６２で「履歴あり」）、早めにＨＤＤ電源をオン（電源スイッチ４をオン）にしてＨＤＤ５を起動する（ステップＳ６３）。そして、画像Ａから画像Ｉまでの９個のファイル管理情報およびサムネイル画像データをＮＡＮＤメモリ７から読み出して（ステップＳ６４）、サムネイル画像群として表示部８に表示させる（ステップＳ６５）。
【００２４】
次に、ユーザは、カーソル操作により、画像Ａから画像Ｉまでの９個の内の１つを選択する。または、デフォルトで１つが選択されている。それに対して、主制御部１０は、選択された画像Ａ部分にカーソルマークを付けて表示する（ステップＳ６６）。そして、更に、ユーザは、カーソル表示されたサムネイル画像、例えば画像Ａについて、原画像表示を行う場合は、原画像表示操作キーを操作する。主制御部１０は、これをチェックし（ステップＳ６７）、原画像表示操作がなければ、次に、サムネイル画像群の切り替えキーの操作の有無をチェックする（ステップＳ６８）。
【００２５】
これは、ユーザが所望する画像が、画像Ａから画像Ｉまでの９個の画像群の中にない場合であり、ユーザは別の画像群を見るためにサムネイル画像群の切り替えキー操作を行うことに対応している。ステップＳ６８で切り替え操作があれば、次のサムネイル画像群が画像Ｊから画像Ｒまでの９個（図２の「Ｃ２：画像アプリ」の画像群）であることを確認し（ステップＳ６９）、ステップＳ６１へ戻る。ステップＳ６８で切り替え操作がなければ、ステップＳ６９をパス、つまり、表示部に表示するサムネイル画像群は、現状の画像Ａから画像Ｉのままであり、同様にステップＳ６１へ戻る。
【００２６】
そして、これから表示部に表示するサムネイル画像群について、ＨＤＤ画像表示履歴記憶部１１をチェックして、ＨＤＤ４に記録された原画が読み出されて表示部４に表示された履歴をチェックする（ステップＳ６１）。そして、９個のサムネイル画像中、１個でも原画像表示の履歴があるかどうかをチェックする（ステップＳ６２）。
【００２７】
１個でも原画像表示の履歴がなければ、ＨＤＤ電源をオフ（電源スイッチ４をオフ）にする（ステップＳ７０）。そして、これから表示する９個のサムネイル画像のファイル管理情報およびサムネイル画像データをＮＡＮＤメモリ７から読み出して（ステップＳ７１）、サムネイル画像群として表示部８に表示させる（ステップＳ７２）。次に、選択された画像のカーソル表示を行い（ステップＳ６６）、選択された画像について、原画像表示操作の有無をチェックする（ステップＳ６７）。
【００２８】
ステップＳ６７で原画像表示操作があれば、ＨＤＤ電源の状態をチェックしてオフ状態であれば、すなわち、ステップＳ６２で原画像表示の履歴なしで、ステップＳ７０でＨＤＤ電源オフとなった経緯があれば、ＨＤＤ電源をオンにする（ステップＳ７３）。そして、ステップＳ６６で選択されたサムネイル画像の原画像をＨＤＤ５から読み出して表示する（ステップＳ７４）。そして、ＨＤＤ画像表示履歴記憶部１１の該当画像の履歴回数をカウントアップする（ステップＳ７５）。
【００２９】
なお、ステップＳ６２で、９個のサムネイル画像中、１個でも原画像表示の履歴があるかどうかをチェックしたが、例えば、９個のサムネイル画像中５個以上について原画像表示の履歴があるかどうかをチェックしてもよい。すなわち、表示するサムネイル画像群の内、半分程度以上の原画像表示の履歴があれば、ＨＤＤ電源をオンにする（ステップＳ６３）へ進むようにしてもよい。
【００３０】
以上の実施例によれば、原画像表示の履歴がある場合（ステップＳ６２）、早めにＨＤＤ電源をオンにしてＨＤＤを起動している（ステップＳ６３）。その後のサムネイル画像の表示（ステップＳ６４、Ｓ６５）は、ユーザが気になる程ではないが、多少の時間を要する。また、その後、ユーザは、サムネイル画像を見て、カーソル選択（ステップＳ６６）や原画像表示キー操作（ステップＳ６７）などの少なくとも数秒間はかかるであろうユーザ操作を行う。そして、原画像をＨＤＤから読み出して表示する（ステップＳ７４）時点においては、すでに、ＨＤＤは立ち上がっている可能性が高くなる。または、ＨＤＤの立ち上がりをそれ程待つ必要がなくなる。また、原画像表示の履歴がない場合（ステップＳ６２）は、ＨＤＤ電源を早めにオンにすることは行わないで、原画像表示キー操作が行われた（ステップＳ６７）時点で、ＨＤＤ電源をオンにする（ステップＳ７３）。これにより、操作性を向上すると共に、ＨＤＤの電力消費を低減することが可能になる。
【００３１】
図５は、本発明の別の実施例に係る携帯端末のサムネイル画像表示を説明する図である。図２の「Ｃ１：画像アプリ」、「Ｃ２：画像アプリ」の別の表示例を示す。図５においては、サムネイル画像を表示する順番を、各画像の原画像表示の履歴回数が多い順に並べる処理を行う。例えば、原画像表示の履歴回数が、画像Ｊは６回、画像Ａは３回、画像Ｃは２回、画像Ｋは１回、・・・とすると、最初のサムネイル画像群の表示である「Ｃ１：画像アプリ」では、画像Ｊ、画像Ａ、画像Ｃ、画像Ｋ、・・・の順番で表示する。次のサムネイル画像群の表示である「Ｃ２：画像アプリ」では、更に、原画像表示の履歴回数の低い画像が並ぶ。
【００３２】
これにより、最初のサムネイル画像群の表示である「Ｃ１：画像アプリ」において、原画像表示の履歴の多い画像がまとまって表示され、図４のステップＳ６２の履歴判断でＨＤＤ電源をオンにする確率が高まり、操作性とＨＤＤの電力消費低減を更に良くすることができる。
【００３３】
なお、ＨＤＤ４への供給電源をオンオフして消費電力低減を行ったが、ＨＤＤ４がスタンバイモードなどの機能を備えている場合は、その機能を直接制御するようにしてもよい。  
また、図３において、アプリケーションの種類により、画像アプリケーション（ステップＳ６０）の場合のみ、原画像表示の履歴によるＨＤＤ電源制御を行ったが、すべてのアプリケーションにおいて、画像アプリケーション（ステップＳ６０）での処理と同様の処理を行ってもよい。その場合、画像アプリケーション（ステップＳ６０）でのサムネイル画像（第１情報）から原画像（第２情報）表示を行った履歴ではなく、例えば、曲名タイトルなどのテキスト情報（第１情報）がＮＡＮＤメモリや他のメモリ（第１記憶手段）に記録されていて、曲名タイトルを見る状態から楽曲（第２情報）演奏を行った履歴によりＨＤＤ電源制御を行ってもよい。
【００３４】
また、電話帳アプリケーション（ステップＳ５０）では、ＨＤＤを起動しないとしたが、電話帳アプリケーションの中で、例えば編集処理に入った場合などは、ユーザ操作によりＨＤＤを起動してもよいし、又は、画像アプリケーション（ステップＳ６０）と同様の履歴によるＨＤＤの自動起動を行ってもよい。
【図面の簡単な説明】
【００３５】
【図１】本発明の実施例に係る携帯端末の関連部分のブロック図。
【図２】本発明の実施例に係る携帯端末のサムネイル画像表示を説明する図。
【図３】本発明の実施例に係る携帯端末の主制御部のサムネイル画像および原画像の表示制御に関するフローチャート。
【図４】本発明の実施例に係る携帯端末の主制御部の画像アプリケーションの表示制御に関するフローチャート。
【図５】本発明の別の実施例に係る携帯端末のサムネイル画像表示を説明する図。
【符号の説明】
【００３６】
１  撮像部
２  信号処理部
３  符号変換部
４  電源スイッチ
５  ＨＤＤ
６  サムネイル生成部
７  ＮＡＮＤメモリ
８  表示部
９  キー操作部
１０  主制御部
１１  ＨＤＤ画像表示履歴記憶部
１２  アプリＨＤＤ対応メモリ
１００  携帯端末
【図１】
2007226929.tif 000003
【図２】
2007226929.tif 000004
【図３】
2007226929.tif 000005
【図４】
2007226929.tif 000006
【図５】
2007226929.tif 000007